(57)【要約】【課題】ディスクモータの傾き角度の調節精度を向上させることが可能なディスク装置を提供する。【解決手段】このディスク装置は、ディスクモータ９が取り付けられるとともに、チルト駆動モータ７の駆動がギアを介することなく直接伝達されることによって傾けられるチルト金具１０を備えている。また、チルト金具１０には、シャーシ１に対してチルト金具１０を支えるための複数の板バネ状の支持脚部１０ｂと、少なくとも２つの突起部１０ｃとが一体的に設けられ、チルト駆動モータ７の駆動軸７ａには、ネジ部７ｂが設けられているとともに、チルト金具１０には、チルト駆動モータ７の駆動軸７ａのネジ部７ｂと噛み合うネジ穴１０ｄが設けられており、シャーシ１には、チルト金具１０の突起部１０ｃの上面を支持してチルト金具１０の上方への浮き上がりを押さえる支持フック部１ｅが一体的に設けられている。【選択図】図３
2004213727.tif 000002
【特許請求の範囲】
【請求項１】
ディスクを載置するためのターンテーブルが取り付けられるとともに、前記ターンテーブルを回転させるためのディスクモータと、前記ディスクと所定の距離を隔てて配置され、前記ディスクの中心近傍から前記ディスクの外周近傍にわたって移動される光ピックアップと、前記光ピックアップを移動可能に支持するシャーシと、駆動軸を有するとともに、前記ディスクモータを傾かせるための駆動力を発生するチルト駆動モータとを備えたディスク装置において、
前記ディスクモータが取り付けられるとともに、前記チルト駆動モータの駆動がギアを介することなく直接伝達されることによって傾けられるチルト金具をさらに備え、
前記チルト金具には、前記シャーシに対して前記チルト金具を支えるための複数の板バネ状の支持脚部と、少なくとも２つの突起部とが一体的に設けられ、
前記チルト駆動モータの駆動軸には、ネジ部が設けられているとともに、前記チルト金具には、前記チルト駆動モータの駆動軸のネジ部と噛み合うネジ穴が設けられており、
前記シャーシには、前記チルト金具の突起部の上面を支持して前記チルト金具の上方への浮き上がりを押さえる支持フック部が一体的に設けられるとともに、前記チルト金具は、前記チルト駆動モータの駆動軸の回転に伴って、前記シャーシの支持フック部に支持される前記チルト金具の２つの突起部を支点として傾くことが可能に設置されていることを特徴とする、ディスク装置。
【請求項２】
ディスクを載置するためのターンテーブルを回転させるためのディスクモータと、
前記ディスクモータを傾かせるための駆動力を発生するチルト駆動源と、
前記ディスクモータが取り付けられるとともに、前記チルト駆動源の駆動がギアを介することなく伝達されることによって傾けられるチルト部材とを備えた、ディスク装置。
【請求項３】
光ピックアップを移動可能に支持するためのシャーシをさらに備え、
前記チルト部材には、前記シャーシに対して前記チルト部材を支えるための複数の板バネ状の支持脚部と、少なくとも２つの突起部とが一体的に設けられ、
前記シャーシには、前記チルト部材の突起部の上面を支持して前記チルト金具の上方への浮き上がりを押さえる支持フック部が一体的に設けられている、請求項２に記載のディスク装置。
【請求項４】
前記チルト駆動源は、ネジ部が設けられた駆動軸を有するチルト駆動モータを含み、
前記チルト部材には、前記チルト駆動モータの駆動軸のネジ部と噛み合うネジ穴が設けられている、請求項２または３に記載のディスク装置。
【請求項５】
前記チルト駆動源は、
駆動軸を有するモータと、
前記モータの駆動軸に取り付けられるとともに、前記駆動軸の回転に伴って前記駆動軸に沿って直線移動される第１移動壁を含む第１気体室と、
前記第１気体室と中継部材を介して接続され、前記第１移動壁の移動が気体層を介して伝達されることにより移動される第２移動壁を含む第２気体室とを含み、
前記第２移動壁は、軸部を含み、
前記第２移動壁の軸部は、前記チルト部材に固定的に取り付けられており、
前記チルト部材は、前記第２移動壁の移動に伴って傾けられる、請求項２または３に記載のディスク装置。
【発明の詳細な説明】
【０００１】
【発明の属する技術分野】
この発明は、ディスク装置に関し、特に、ディスクに対する光ピックアップのレーザビームの照射角度を調節するための機構を備えたディスク装置に関する。
【０００２】
【従来の技術】
従来、ディスクに対する光ピックアップのレーザビームの照射角度を調節するための機構を備えた種々のディスク装置が知られている。
【０００３】
図９は、従来の一例によるディスクに対する光ピックアップのレーザビーム照射角度調節機構を備えたディスク装置のレーザビーム照射角度調節機構部分を示した側面図である。図９を参照して、従来の一例によるディスク装置では、ディスク１００を載置するためのターンテーブル１０８が回転可能に設けられている。このターンテーブル１０８の下側には、ターンテーブル１０８を回転させるためのディスクモータ１０９が設けられている。このディスクモータ１０９は、ベースシャーシ１１７に対して固定的に取り付けられている。また、ディスクモータ１０９の駆動軸１０９ａは、ターンテーブル１０８の回転中心に固定的に取り付けられている。
【０００４】
また、ディスク１００と所定の間隔を隔てて光ピックアップ１０３が設けられている。この光ピックアップ１０３は、ディスク１００の中心近傍（図９中の位置Ｆ）から外周近傍（図９中の位置Ｇ）にわたって、図９中の矢印Ｈ方向に移動可能にチルトシャーシ１１８に取り付けられている。また、チルトシャーシ１１８は、チルトシャーシ１１８のディスクモータ１０９側の端部に設けられた支点部１１９を中心として、図９中の矢印Ｉ方向に傾くことが可能に設置されている。
【０００５】
次に、図９を参照して、従来の一例によるディスク装置の動作としては、ディスク１００がターンテーブル１０８上に載置された後、ディスクモータ１０９の駆動により、ディスクモータ１０９の駆動軸１０９ａが回転される。これにより、ディスクモータ１０９の駆動軸１０９ａが取り付けられたターンテーブル１０８が回転される。そして、ターンテーブル１０８が回転されると、光ピックアップ１０３からディスク１００の下面に対してレーザビームが照射されることによって、ディスク１００に信号の書込みが行われる。また、光ピックアップ１０３は、ディスク１００の下方の所定の距離を隔てた位置をディスク１００の中心近傍（図９中の位置Ｆ）からディスク１００の外周近傍（図９中の位置Ｇ）にわたって図９中の矢印Ｈ方向に移動しながら、ディスク１００に対してレーザビームの照射を行う。そして、チルトシャーシ１１８が支点部１１９を支点として図９中の矢印Ｉ方向に傾けられることにより、チルトシャーシ１１８に支持された光ピックアップ１０３のディスク１００に対するレーザビームの照射角度が調節される。
【０００６】
しかしながら、図９に示した従来の一例によるディスク装置では、ディスク１００に対する光ピックアップ１０３のレーザビームの照射角度を調節するために、光ピックアップ１０３を支持するチルトシャーシ１１８自体を傾かせる必要がある。このチルトシャーシ１１８は、ディスク１００の中心近傍からディスク１００の外周近傍にわたって移動する光ピックアップ１０３を支持するため、光ピックアップ１０３が移動する全範囲に対応する大きさに形成する必要がある。すなわち、図９に示した従来の一例によるディスク装置では、ディスク１００に対する光ピックアップ１０３のレーザビームの照射角度を調節するために、大きなチルトシャーシを用いる必要があるという不都合があった。これにより、チルトシャーシの小型化が困難であるため、チルトシャーシの材料費の削減が困難であるという不都合があった。
【０００７】
そこで、図９に示した従来の一例によるディスク装置の不都合を解消するために、チルトシャーシ（チルト部材）の小型化が可能な種々のディスク装置が提案されている（たとえば、特許文献１参照）。
【０００８】
上記特許文献１には、駆動モータの駆動をギアを介して、アーム（チルト部材）に伝達してアーム（チルト部材）を傾けることにより、アーム（チルト部材）に固定的に取り付けられたディスクモータを傾けるとともに、光ピックアップ側は傾けないようにしたディスク装置が開示されている。このディスク装置の構造では、ディスクに対する光ピックアップのレーザビーム照射角度を調節するために、光ピックアップ側を傾けることなく、ディスクモータ側を傾けるので、光ピックアップの移動範囲に対応する大きさを有する大きいチルト部材を用いる必要がない。これにより、チルト部材を小型化することができるので、チルト部材の材料費の削減が可能となる。
【０００９】
【特許文献１】
特開昭６３−７１９４１号公報
【００１０】
【発明が解決しようとする課題】
しかしながら、上記特許文献１に開示されたディスク装置では、駆動モータの駆動をギアを介してアーム（チルト部材）に伝達することによりアーム（チルト部材）を傾かせているため、アーム（チルト部材）を傾かせるときにギアの噛み合わせ部分で遊びが発生するという問題点がある。これにより、駆動モータの駆動とアーム（チルト部材）が傾く動作との間にずれが生じるので、アーム（チルト部材）の傾き角度の調節精度を向上することが困難であるという問題点があった。その結果、アーム（チルト部材）に取り付けられたディスクモータの傾き角度の調節精度を向上するのが困難であるという問題点があった。
【００１１】
また、上記特許文献１では、駆動モータの駆動をアーム（チルト部材）に伝達するためのギアが必要であるため、その分、部品点数が増加するという不都合もあった。このため、部品点数を削減するのが困難であった。
【００１２】
この発明は、上記のような課題を解決するためになされたものであり、この発明の１つの目的は、ディスクモータの傾き角度の調節精度を向上させることが可能なディスク装置を提供することである。
【００１３】
この発明のもう１つの目的は、上記のディスク装置において、部品点数を削減することである。
【００１４】
この発明のさらにもう１つの目的は、上記のディスク装置において、ディスクモータを滑らかに傾かせることである。
【００１５】
【課題を解決するための手段および発明の効果】
上記目的を達成するために、この発明の第１の局面におけるディスク装置は、ディスクを載置するためのターンテーブルが取り付けられるとともに、ターンテーブルを回転させるためのディスクモータと、ディスクと所定の距離を隔てて配置され、ディスクの中心近傍からディスクの外周近傍にわたって移動される光ピックアップと、光ピックアップを移動可能に支持するシャーシと、駆動軸を有するとともに、ディスクモータを傾かせるための駆動力を発生するチルト駆動モータとを備えたディスク装置において、ディスクモータが取り付けられるとともに、チルト駆動モータの駆動がギアを介することなく直接伝達されることによって傾けられるチルト金具をさらに備え、チルト金具には、シャーシに対してチルト金具を支えるための複数の板バネ状の支持脚部と、少なくとも２つの突起部とが一体的に設けられ、チルト駆動モータの駆動軸には、ネジ部が設けられているとともに、チルト金具には、チルト駆動モータの駆動軸のネジ部と噛み合うネジ穴が設けられており、シャーシには、チルト金具の突起部の上面を支持してチルト金具の上方への浮き上がりを押さえる支持フック部が一体的に設けられるとともに、チルト金具は、チルト駆動モータの駆動軸の回転に伴って、シャーシの支持フック部に支持されるチルト金具の２つの突起部を支点として傾くことが可能に設置されていることを特徴とする。
【００１６】
この発明の第１の局面によるディスク装置では、上記のように、チルト金具が、チルト駆動モータの駆動がギアを介することなく直接伝達されることによって傾けられるので、ギアの噛み合わせ部分で生じる遊びに起因するチルト駆動モータの駆動とチルト金具が傾く動作との間のずれの発生を防止することができる。その結果、チルト金具の傾き角度の調節精度を向上させることができるので、チルト金具に取り付けられたディスクモータの傾き角度の調節精度を向上させることが可能となる。また、チルト駆動モータの駆動を伝達するためにギアが必要ないので、その分、部品点数を削減することができる。
【００１７】
また、第１の局面では、チルト駆動モータの駆動軸のネジ部にチルト金具のネジ穴を噛み合わせることにより、簡単な構成で、容易にチルト駆動モータの駆動軸の回転にともなって、チルト金具のネジ穴が設けられた側の端部を上昇または下降させることができる。これにより、簡単な構成で、容易にチルト駆動モータの駆動軸の回転に伴ってチルト金具を傾かせることができる。その結果、簡単な構成で、容易にチルト金具に取り付けられたディスクモータの傾き角度を調節することができる。また、シャーシに対してチルト金具を支えるための複数の板バネ状の支持脚部と、突起部とをチルト部材に一体的に設けるとともに、チルト金具の突起部の上面を支持してチルト金具の上方への浮き上がりを押さえる支持フック部をシャーシに一体的に設けることにより、部品点数を増加させることなく、チルト金具をチルト金具の突起部を支点として傾けることができる。これにより、部品点数を増加させることなく、チルト金具に取り付けられたディスクモータを傾かせることができる。その結果、部品点数を増加させることなく、ディスクモータの傾き角度を調節することができる。
【００１８】
この発明の第２の局面によるディスク装置は、ディスクを載置するためのターンテーブルを回転させるためのディスクモータと、ディスクモータを傾かせるための駆動力を発生するチルト駆動源と、ディスクモータが取り付けられるとともに、チルト駆動源の駆動がギアを介することなく伝達されることによって傾けられるチルト部材とを備えている。
【００１９】
この第２の局面によるディスク装置では、上記のように、チルト部材が、チルト駆動源の駆動がギアを介することなく伝達されることによって傾けられるので、ギアの噛み合わせ部分で生じる遊びに起因するチルト駆動源の駆動とチルト部材が傾く動作との間のずれの発生を防止することができる。その結果、チルト部材の傾き角度の調節精度を向上させることができるので、チルト部材に取り付けられたディスクモータの傾き角度の調節精度を向上することが可能となる。
【００２０】
上記第２の局面によるディスク装置において、好ましくは、光ピックアップを移動可能に支持するためのシャーシをさらに備え、チルト部材には、シャーシに対してチルト部材を支えるための複数の板バネ状の支持脚部と、少なくとも２つの突起部とが一体的に設けられ、シャーシには、チルト部材の突起部の上面を支持してチルト部材の上方への浮き上がりを押さえる支持フック部が一体的に設けられている。このように構成すれば、部品点数を増加させることなく、チルト部材をチルト部材の突起部を支点として傾けることができる。これにより、部品点数を増加させることなく、チルト部材に取り付けられたディスクモータを傾かせることができる。その結果、部品点数を増加させることなく、ディスクモータの傾き角度を調節することができる。
【００２１】
上記第２の局面によるディスク装置において、好ましくは、チルト駆動源は、ネジ部が設けられた駆動軸を有するチルト駆動モータを含み、チルト部材には、チルト駆動モータの駆動軸のネジ部と噛み合うネジ穴が設けられている。このように構成すれば、簡単な構成で、容易にチルト駆動モータの駆動軸の回転に伴って、チルト部材のネジ穴が設けられた側の端部を上昇または下降させることができる。これにより、簡単な構成で、容易にチルト駆動モータの駆動軸の回転に伴ってチルト部材を傾かせることができる。その結果、簡単な構成で、容易にチルト部材に取り付けられたディスクモータの傾き角度を調節することができる。
【００２２】
上記第２の局面によるディスク装置において、好ましくは、チルト駆動源は、駆動軸を有するモータと、モータの駆動軸に取り付けられるとともに、駆動軸の回転に伴って駆動軸に沿って直線移動される第１移動壁を含む第１気体室と、第１気体室と中継部材を介して接続され、第１移動壁の移動が気体層を介して伝達されることにより移動される第２移動壁を含む第２気体室とを含み、第２移動壁は、軸部を含み、第２移動壁の軸部は、チルト部材に固定的に取り付けられており、チルト部材は、第２移動壁の移動に伴って傾けられる。このように構成すれば、モータの駆動軸の回転運動が第１移動壁の直線移動に変換されるとともに、第１移動壁の直線移動が気体層を介して第２移動壁に伝達されて第２移動壁が移動されることにより、第２移動壁に取り付けられたチルト部材が傾けられる。これにより、モータの駆動軸の回転速度が急激に変化して第１移動壁が急激な直線移動をした場合にも、第１移動壁と第２移動壁との間に存在する気体層が緩衝材として機能するので、第２移動壁を滑らかに移動させることができる。その結果、第２移動壁の軸部に取り付けられたチルト部材を滑らかに傾かせることができるので、チルト部材に取り付けられたディスクモータを滑らかに傾かせることができる。また、第１移動壁の移動を第２移動壁に伝達する気体層がダンパとして機能することができるので、チルト部材に伝達される振動が気体層によって吸収される。これにより、チルト部材に取り付けられたディスクモータに振動が伝達されるのを抑制することができる。その結果、ディスクモータに取り付けられたターンテーブルが振動するのを抑制することができるので、ターンテーブルに載置されたディスクの回転がぶれるのを抑制することができる。
【００２３】
【発明の実施の形態】
以下、本発明の実施形態を図面に基づいて説明する。
【００２４】
（第１実施形態）
図１は、本発明の第１実施形態によるディスク装置のディスク駆動部を示した上面図である。図２は、図１に示した第１実施形態によるディスク駆動部のディスクモータの傾き角度調節機構を示した拡大上面図である。図３は、図２に対応するディスクモータの傾き角度調節機構の側面図である。図４は、図２に対応するディスクモータの傾き角度調節機構のシャーシ部分の上面図である。図５は、図４に対応するディスクモータの傾き角度調節機構のシャーシ部分の側面図である。図６は、図１に示した第１実施形態によるディスク駆動部のディスクモータの傾き角度調節機構に使用するチルト金具の上面図である。図７は、図６に対応するチルト金具の側面図である。
【００２５】
まず、図１〜図７を参照して、本発明の第１実施形態によるディスク装置の構造について説明する。
【００２６】
図１を参照して、第１実施形態によるディスク装置では、約１．８ｍｍの厚みを有する金属板材により形成されたシャーシ１が設けられている。このシャーシ１のベース部１ａには、シャーシ１の長手方向（図１中の矢印Ａ方向）に対して平行にシャフト２が取り付けられている。このシャフト２には、光ピックアップ３が、ディスクと所定の間隔を隔てて、ディスクの中心近傍から外周近傍に渡って矢印Ａ方向に移動することができるように取り付けられている。また、光ピックアップ３には、ラック３ａが設けられている。このラック３ａには、第１ギア４の裏面に形成されたピニオン（図示せず）が噛み合わされている。また、第１ギア４には、第２ギア５が噛み合わされるとともに、第２ギア５には、光ピックアップ駆動用モータ（図示せず）の駆動が伝達される第３ギア６が噛み合わされている。
【００２７】
また、シャーシ１には、図３に示すように、シャーシ１のベース部１ａから下方に段差を設けてモータ取付部１ｂが設けられている。このモータ取付部１ｂの中央には、挿入穴１ｃが設けられている。また、モータ取付部１ｂには、図１〜図３に示すように、チルト駆動モータ７が３箇所ネジ止めされることにより固定的に取り付けられている。チルト駆動モータ７としては、超音波モータなどの初動トルクが大きく、駆動軸７ａが一定の回転速度に達するまでの立ち上がり時間の短いモータが用いられている。なお、このチルト駆動モータ７は、本発明の「チルト駆動源」の一例である。また、チルト駆動モータ７の駆動軸７ａは、モータ取付部１ｂの挿入穴１ｃを介して上方に突出されている。また、チルト駆動モータ７の駆動軸７ａには、図３に示すように、ネジ部７ｂが設けられている。また、シャーシ１には、図１、図２および図４に示すように、開口部１ｄが形成されている。この開口部１ｄのシャーシ１の短手方向両側には、図１〜図５に示すように、ベース部１ａから斜め上方に突出するように２つの支持フック部１ｅが設けられている。
【００２８】
また、シャーシ１の開口部１ｄの上方には、図２および図３に示すように、ディスクを載置するためのターンテーブル８が回転可能に設けられている。このターンテーブル８の下側には、ターンテーブル８を回転させるためのディスクモータ９がシャーシ１の開口部１ｄ内に設置されている。このディスクモータ９の駆動軸９ａは、ターンテーブル８の回転中心に固定的に取り付けられている。また、ディスクモータ９の上面は、薄い金属板材によって形成されたチルト金具１０に３箇所ネジ止めされることにより取り付けられている。なお、このチルト金具１０は、本発明の「チルト部材」の一例である。チルト金具１０のディスクモータ９が取り付けられた部分の中央には、図６に示すように、貫通穴１０ａが設けられている。この貫通穴１０ａを介してディスクモータ９の駆動軸９ａが上方へ突出されている。
【００２９】
また、チルト金具１０のディスクモータ９が取り付けられた部分の周囲には、図１、図２、図６および図７に示すように、板バネ状に形成された４つの支持脚部１０ｂが設けられている。この支持脚部１０ｂは、シャーシ１のベース部１ａの上面に当接してディスクモータ９が取り付けられたチルト金具１０をシャーシ１に対して傾き可能に支持する機能を有する。また、チルト金具１０のシャーシ１の２つの支持フック部１ｅに対応する位置には、上方へ突出するように２つの突起部１０ｃが設けられている。このチルト金具１０の２つの突起部１０ｃは、チルト金具１０が傾く際の支点になる。また、２つの突起部１０ｃは、図３に示すように、シャーシ１の支持フック部１ｅに上面を支持されている。これにより、チルト金具１０の上方への浮き上がりが押さえられている。
【００３０】
ここで、第１実施形態では、チルト金具１０の支持脚部１０ｂと突起部１０ｃとは、薄い金属板材により形成されたチルト金具１０の一部を折り曲げ加工することにより、チルト金具１０に一体的に設けられている。また、シャーシ１の支持フック部１ｅは、金属板材により形成されたシャーシ１の一部を折り曲げ加工することにより、シャーシ１に一体的に設けられている。
【００３１】
ここで、第１実施形態では、チルト金具１０の光ピックアップ３から遠い方の端部には、図１〜図３、図６および図７に示すように、ネジ穴１０ｄが形成されている。このチルト金具１０のネジ穴１０ｄは、チルト駆動モータ７の駆動軸７ａに設けられたネジ部７ｂに噛み合わされることにより、チルト金具１０は、チルト駆動モータ７の駆動軸７ａに直接係合されている。
【００３２】
次に、図１および図３を参照して、第１実施形態によるディスク装置の動作について説明する。
【００３３】
まず、図３に示すように、ディスク１００がターンテーブル８上に載置された後、ディスクモータ９の駆動により、ディスクモータ９の駆動軸９ａが取り付けられたターンテーブル８が回転される。そして、ターンテーブル８が回転されると、光ピックアップ３（図１参照）からディスク１００の下面に対してレーザビームが照射されることによって、ディスク１００に信号の書込みが行われる。
【００３４】
また、光ピックアップ駆動用モータ（図示せず）の駆動が、図１に示すように、第３ギア６、第２ギア５および第１ギア４を介して、光ピックアップ３のラック３ａに伝達されることにより、光ピックアップ３は図１中の矢印Ａ方向に移動する。これにより、光ピックアップ３は、ディスクの下方の所定の距離を隔てた位置をディスクの中心近傍からディスクの外周近傍にわたって移動しながら、ディスクの下面に対してレーザビームの照射を行う。そして、光ピックアップ３からディスクへのレーザビームの照射角度の調節を行うために、ディスクモータ９を傾かせるための駆動力を発生するチルト駆動モータ７が駆動される。
【００３５】
ここで、第１実施形態では、図３に示すように、チルト駆動モータ７の駆動が、直接チルト金具１０に伝達される。すなわち、チルト駆動モータ７の駆動によって、チルト駆動モータ７の駆動軸７ａが回転される。そして、チルト駆動モータ７の駆動軸７ａに設けられたネジ部７ｂがチルト金具１０のネジ穴に噛み合わされているので、チルト駆動モータ７の駆動軸７ａの回転に伴って、チルト金具１０のネジ穴１０ｄが設けられた側の端部は、図３中の矢印Ｂ方向に上昇または下降される。これにより、チルト金具１０は、シャーシ１の支持フック部１ｅに上面が支持された２つの突起部１０ｃを支点として傾けられる。そして、チルト金具１０が傾くのに伴って、チルト金具１０に取り付けられたディスクモータ９が傾く。そして、ディスクモータ９が傾けられるのに伴ってディスクモータ９の駆動軸９ａに取り付けられたターンテーブル８が傾けられるので、ターンテーブル８に載置されたディスク１００が傾けられる。そして、ディスク１００が傾くことにより、ディスク１００に対する光ピックアップ３（図１参照）のレーザビームの照射角度が垂直になるように調節される。
【００３６】
第１実施形態では、上記のように、チルト金具１０が、チルト駆動モータ７の駆動がギアを介することなく直接伝達されることによって傾けられるので、ギアの噛み合わせ部分で生じる遊びに起因するチルト駆動モータ７の駆動とチルト金具１０が傾く動作との間のずれの発生を防止することができる。その結果、チルト金具１０の傾き角度の調節精度を向上させることができるので、チルト金具１０に取り付けられたディスクモータ９の傾き角度の調節精度を向上させることが可能となる。
【００３７】
また、第１実施形態では、チルト駆動モータ７の駆動を伝達するためにギアが必要ないので、その分、部品点数を削減することができる。
【００３８】
また、第１実施形態では、チルト駆動モータ７の駆動軸７ａのネジ部７ｂにチルト金具１０のネジ穴１０ｄを噛み合わせることにより、簡単な構成で、容易にチルト駆動モータ７の駆動軸７ａの回転に伴って、チルト金具１０のネジ穴１０ｄが設けられた側の端部を上昇または下降させることができる。これにより、簡単な構成で、容易にチルト駆動モータ７の駆動軸７ａの回転に伴ってチルト金具１０を傾かせることができる。その結果、簡単な構成で、容易にチルト金具１０に取り付けられたディスクモータ９の傾き角度を調節することができる。
【００３９】
また、第１実施形態では、シャーシ１に対してチルト金具１０を支えるための複数の板バネ状の支持脚部１０ｂと、突起部１０ｃとをチルト金具１０に一体的に設けるとともに、チルト金具１０の突起部１０ｃの上面を支持してチルト金具１０の上方への浮き上がりを押さえる支持フック部１ｅをシャーシ１に一体的に設けることにより、部品点数を増加させることなく、チルト金具１０をチルト金具１０の突起部１０ｃを支点として傾けることができる。これにより、部品点数を増加させることなく、チルト金具１０に取り付けられたディスクモータ９を傾かせることができる。その結果、部品点数を増加させることなく、ディスクモータ９の傾き角度を調節することができる。
【００４０】
(第２実施形態)
図８は、本発明の第２実施形態によるディスク装置のディスクモータの傾き角度調節機構を示した側面図である。図８を参照して、この第２実施形態では、上記した第１実施形態と異なり、ディスクモータを傾かせるための駆動力を発生するチルト駆動源に気体層による駆動の伝達を利用した例について説明する。なお、第２実施形態のチルト駆動源以外の部分の構成は、第１実施形態と同様である。
【００４１】
すなわち、第２実施形態では、図８に示すように、ディスクモータ９を傾かせるための駆動力を発生するチルト駆動源は、駆動軸１１ａを有するモータ１１と、第１移動壁１２と、第１気体室１３と、中継部材１４と、第２気体室１５と、第２移動壁１６とを含んでいる。第１移動壁１２は、モータ１１の駆動軸１１ａに取り付けられるとともに、図８中の矢印Ｃ方向にモータ１１の駆動軸１１ａに沿って移動するように設けられている。第１気体室１３は、第１移動壁１２を内部に移動可能に収容するように構成されている。中継部材１４は、第１気体室１３と第２気体室１５とを接続するために設けられている。第２移動壁１６は、第２気体室１５の内部に移動可能に収容されるとともに、図８中の矢印Ｄ方向に移動可能に設けられている。
【００４２】
また、モータ１１の駆動軸１１ａには、ネジ部１１ｂが形成されている。また、第１移動壁１２のモータ１１の駆動軸１１ａが取り付けられる部分には、ネジ穴１２ａが設けられている。この第１移動壁１２のネジ穴１２ａは、モータ１１の駆動軸１１ａのネジ部１１ｂに噛み合わされている。また、第１気体室１３と第２気体室１５とには、空気などの気体が充填されることにより気体層が形成されている。なお、充填された気体は、中継部材１４を介して第１気体室１３と第２気体室１５との間を移動可能である。また、第２移動壁１６には、上方へ突出するように軸部１６ａが設けられている。この第２移動壁１６の軸部１６ａは、チルト金具１０に固定的に取り付けられている。
【００４３】
第２実施形態によるディスク装置のディスクモータ９を傾けるときの動作としては、図８に示すように、モータ１１が駆動して、モータ１１の駆動軸１１ａが回転される。このモータ１１の駆動軸１１ａの回転に伴って、第１移動壁１２は、図８中の矢印Ｃ方向に直線移動される。この第１移動壁１２の直線移動が第１気体室１３、中継部材１４および第２気体室１５に充填された気体によって形成された気体層を介して第２移動壁１６に伝達されることにより、第２移動壁１６は、図８中の矢印Ｄ方向に直線移動される。第１移動壁１２がモータ１１から離れる方向に移動した場合は、第２移動壁１６は上方へ移動される。第１移動壁１２がモータ１１に接近する方向に移動した場合には、第２移動壁１６は下方に移動される。
【００４４】
そして、第２移動壁１６の移動に伴って、チルト金具１０の第２移動壁１６の軸部１６ａが固定的に取り付けられた側の端部は、図８中の矢印Ｅ方向に上昇または下降される。これにより、チルト金具１０は、シャーシ１の支持フック部１ｅに上面が支持された２つの突起部１０ｃを支点として傾けられる。そして、チルト金具１０が傾けられるのに伴ってチルト金具１０に取り付けられたディスクモータ９が傾けられる。
【００４５】
第２実施形態では、上記のように、モータ１１の駆動軸１１ａの回転運動が第１移動壁１２の直線移動に変換されるとともに、第１移動壁１２の直線移動が気体層を介して第２移動壁１６に伝達されて第２移動壁１６が移動されることにより、第２移動壁１６に取り付けられたチルト金具１０が傾けられる。これにより、モータ１１の駆動軸１１ａの回転速度が急激に変化して第１移動壁１２が急激な直線移動をした場合にも、第１移動壁１２と第２移動壁１６との間に存在する気体層が緩衝材として機能するので、第２移動壁１６を滑らかに移動させることができる。その結果、第２移動壁１６の軸部１６ａに取り付けられたチルト金具１０を滑らかに傾かせることができるので、チルト金具１０に取り付けられたディスクモータ９を滑らかに傾かせることができる。
【００４６】
また、第２実施形態では、第１移動壁１２の移動を第２移動壁１６に伝達する気体層がダンパとして機能することができるので、チルト金具１０に伝達される振動が気体層によって吸収される。これにより、チルト金具１０に取り付けられたディスクモータ９に振動が伝達されるのを抑制することができる。その結果、ディスクモータ９に取り付けられたターンテーブル８が振動するのを抑制することができるので、ターンテーブル８に載置されたディスクの回転がぶれるのを抑制することができる。
【００４７】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４８】
たとえば、上記第１実施形態では、ディスクモータを傾かせるための駆動力を発生するチルト駆動源として、チルト駆動モータを使用したが、本発明はこれに限らず、ディスクモータを傾かせるための駆動力を発生することができれば、どのようなチルト駆動源を使用してもよい。たとえば、ソレノイドなどをチルト駆動源として用いてもよい。
【００４９】
また、上記第１実施形態では、チルト駆動モータの駆動をチルト金具に伝達するためにチルト駆動モータの駆動軸のネジ部をチルト金具のネジ穴と噛み合わせるようにしたが、本発明はこれに限らず、チルト駆動モータの駆動をギアを介することなくチルト金具に伝達することが可能な手段であれば、他の手段を用いてもよい。
【図面の簡単な説明】
【図１】本発明の第１実施形態によるディスク装置のディスク駆動部を示した上面図である。
【図２】図１に示した第１実施形態によるディスク駆動部のディスクモータの傾き角度調節機構を示した拡大上面図である。
【図３】図２に対応するディスクモータの傾き角度調節機構の側面図である。
【図４】図２に対応するディスクモータの傾き角度調節機構のシャーシ部分の上面図である。
【図５】図４に対応するディスクモータの傾き角度調節機構のシャーシ部分の側面図である。
【図６】図１に示した第１実施形態によるディスク駆動部のディスクモータの傾き角度調節機構に使用するチルト金具の上面図である。
【図７】図６に対応するチルト金具の側面図である。
【図８】本発明の第２実施形態によるディスク装置のディスクモータの傾き角度調節機構を示した側面図である。
【図９】従来の一例によるディスクに対する光ピックアップのレーザビーム照射角度調節機構を備えたディスク装置のレーザビーム照射角度調節機構部分を示した側面図である。
【符号の説明】
１  シャーシ
１ｅ  支持フック部
３  光ピックアップ
７  チルト駆動モータ（チルト駆動源）
７ａ  駆動軸
７ｂ  ネジ部
８  ターンテーブル
９  ディスクモータ
１０  チルト金具（チルト部材）
１０ｂ  支持脚部
１０ｃ  突起部
１０ｄ  ネジ穴
【図１】
2004213727.tif 000003
【図２】
2004213727.tif 000004
【図３】
2004213727.tif 000005
【図４】
2004213727.tif 000006
【図５】
2004213727.tif 000007
【図６】
2004213727.tif 000008
【図７】
2004213727.tif 000009
【図８】
2004213727.tif 000010
【図９】
2004213727.tif 000011